(57)【要約】【課題】誘電特性を有するコンデンサ素体において電歪効果によって生じる機械的歪みが、第１及び第２の端子電極に伝わるのを抑制することが可能な積層コンデンサを提供すること。【解決手段】第１の端子電極２０は、第２の側面５に配置された第２の電極部分２２を有している。第２の端子電極３０は、第２の側面５に配置された第２の電極部分３２を有している。コンデンサ素体１は、第１の内部電極と第２の内部電極とで挟まれる素体領域１ａを含んでいる。第２の電極部分２２，２３は、第２の側面５に直交する第２の方向から透視したときに、第１の端面２と第２の端面３とが対向する第１の方向での端部において、素体領域１ａの第１の方向での端部の少なくとも一部を挟むようにして第１及び第３の方向に直交する第３の方向に離間している。【選択図】図６
2008300563.tif 000002
【特許請求の範囲】
【請求項１】
互いに対向する第１及び第２の面と、前記第１及び第２の面を連結するように前記第１及び第２の面が対向する第１の方向に伸びる第３の面とを有すると共に、誘電特性を有するコンデンサ素体と、
前記コンデンサ素体の少なくとも一部を挟んで前記第１の方向に直交し且つ前記第３の面に直交する第２の方向に対向するように前記コンデンサ素体内に配置された、端部が前記第１の面に露出した第１の内部電極及び端部が前記第２の面に露出した第２の内部電極と、
前記第１の面に配置されると共に前記第１の内部電極の前記第１の面に露出した部分に接続された第１の電極部分と、前記第３の面に配置されると共に前記第１の電極部分に接続された第２の電極部分とを有する第１の端子電極と、
前記第２の面に配置されると共に前記第２の内部電極の前記第２の面に露出した部分に接続された第１の電極部分と、前記第３の面に配置されると共に前記第１の電極部分に接続された第２の電極部分とを有する第２の端子電極と、を備え、
前記コンデンサ素体は、前記第１の内部電極と前記第２の内部電極とで挟まれる素体領域を含んでおり、
前記第１及び第２の端子電極の前記第２の電極部分は、前記第２の方向から透視したときに、その前記第１の方向での端部において、前記素体領域の前記第１の方向での端部の少なくとも一部を挟むようにして前記第１及び第２の方向に直交する第３の方向に離間していることを特徴とする積層コンデンサ。
【請求項２】
前記第２の電極部分は、前記第３の面の前記第１の方向での端部から伸びると共に、前記第３の方向に離間している一対の第１の領域を含んでおり、
各前記第１の領域の面積Ａ１と、各前記第１の領域において前記第２の方向から透視したときに前記素体領域と重なる部分の面積Ａ２と、の関係が
０≦Ａ２／Ａ１≦０．５０
を満たしていることを特徴とする請求項１に記載の積層コンデンサ。
【請求項３】
前記第２の電極部分は、一対の前記第１の領域を連結するように伸びる第２の領域を更に含んでおり、
前記第２の領域は、前記第２の方向から透視したときに、前記素体領域と重なっていないことを特徴とする請求項１又は２に記載の積層コンデンサ。
【請求項４】
前記コンデンサ素体は、前記第１及び第２の面を連結するように前記第１の方向に伸びると共に前記第３の方向に互いに対向する第４及び第５の面を更に有しており、
前記第１及び第２の端子電極は、前記第４及び第５の面に配置されると共に前記第１及び第２の電極部分に接続された第３の電極部分をそれぞれ有し、
前記第３の電極部分は、前記第３の方向から透視したときに、前記素体領域と重なっていないことを特徴とする請求項１〜３のいずれか一項に記載の積層コンデンサ。
【請求項５】
互いに対向する第１及び第２の面と、前記第１及び第２の面を連結するように前記第１及び第２の面が対向する第１の方向に伸びる第３の面とを有すると共に、誘電特性を有するコンデンサ素体と、
前記コンデンサ素体の少なくとも一部を挟んで前記第１の方向に直交し且つ前記第３の面に直交する第２の方向に対向するように前記コンデンサ素体内に配置された、端部が前記第１の面に露出した第１の内部電極及び端部が前記第２の面に露出した第２の内部電極と、
前記第１の面に配置されると共に前記第１の内部電極の前記第１の面に露出した部分に接続された第１の電極部分と、前記第３の面に配置されると共に前記第１の電極部分に接続された第２の電極部分とを有する第１の端子電極と、
前記第２の面に配置されると共に前記第２の内部電極の前記第２の面に露出した部分に接続された第１の電極部分と、前記第３の面に配置されると共に前記第１の電極部分に接続された第２の電極部分とを有する第２の端子電極と、を備え、
前記コンデンサ素体は、前記第１の内部電極と前記第２の内部電極とで挟まれる素体領域を含んでおり、
前記第１及び第２の端子電極の前記第２の電極部分は、前記第２の方向から透視したときに、前記素体領域と重なっていないことを特徴とする積層コンデンサ。
【請求項６】
前記コンデンサ素体は、前記第１及び第２の面を連結するように前記第１の方向に伸びると共に前記第１及び第２の方向に直交する第３の方向に互いに対向する第４及び第５の面を更に有しており、
前記第１及び第２の端子電極は、前記第４及び第５の面に配置されると共に前記第１及び第２の電極部分に接続された第３の電極部分をそれぞれ有し、
前記第３の電極部分は、前記第３の方向から透視したときに、前記素体領域と重なっていないことを特徴とする請求項５に記載の積層コンデンサ。
【発明の詳細な説明】
【技術分野】
【０００１】
本発明は、積層コンデンサに関する。
【背景技術】
【０００２】
積層コンデンサとして、互いに対向する第１及び第２の面と、第１及び第２の面を連結するように第１及び第２の面が対向する第１の方向に伸びる第３の面とを有すると共に、誘電特性を有するコンデンサ素体と、コンデンサ素体の少なくとも一部を挟んで第１の方向に直交し且つ第３の面に直交する第２の方向に対向するようにコンデンサ素体内に配置された、端部が第１の面に露出した第１の内部電極及び第２の面に露出した第２の内部電極と、第１の内部電極に接続された第１の端子電極と、第２の内部電極に接続された第２の端子電極と、を備えたものが知られている（例えば、特許文献１参照）。特許文献１に記載された積層コンデンサでは、第１の端子電極は、第１の面に配置されると共に第１の内部電極の第１の面に露出した部分に接続された第１の電極部分と、第３の面に配置されると共に第１の電極部分に接続された第２の電極部分とを有している。また、第２の端子電極は、第２の面に配置されると共に第２の内部電極の第２の面に露出した部分に接続された第１の電極部分と、第３の面に配置されると共に第１の電極部分に接続された第２の電極部分とを有している。
【特許文献１】特開２００４−２５３４２５号公報
【発明の開示】
【発明が解決しようとする課題】
【０００３】
本発明は、誘電特性を有するコンデンサ素体において電歪効果によって生じる機械的歪みが、第１及び第２の端子電極に伝わるのを抑制することが可能な積層コンデンサを提供することを課題とする。
【課題を解決するための手段】
【０００４】
ところで、誘電特性を有するコンデンサ素体を備える積層コンデンサに電圧を印加すると、電歪効果によって、印加電圧に応じた大きさの機械的歪みがコンデンサ素体、中でも第１の内部電極と第２の内部電極とで挟まれる素体領域に生じる。このため、交流電圧を印加した場合、積層コンデンサには振動が生じてしまう。積層コンデンサを外部基板等に実装した場合に、こうした機械的歪みが発生すると、機械的歪みによる振動が第１及び第２の端子電極を通して外部基板等に伝播し、外部基板等において機械的歪みによる振動の伝播により、基板において音鳴りが発生してしまうこととなる。
【０００５】
そこで、本発明者等は、機械的歪みによる振動が積層コンデンサから外部基板等に伝播するのを抑制し得る構成について鋭意検討を行った。その結果、機械的歪みによる振動の伝播は、第１及び第２の端子電極の中でも、外部基板等に対向することとなる第３の面に配置された第２の電極部分からの伝播が支配的であることが判明した。特に、従来の積層コンデンサでは、第３の面に直交する方向から透視したときに、第２の電極部分が上記素体領域と重なっている部分の面積が広いがために、電歪効果によって生じた機械的歪みが極めて伝わり易い構成となっている。
【０００６】
このような検討結果を踏まえ、本発明による積層コンデンサは、互いに対向する第１及び第２の面と、第１及び第２の面を連結するように第１及び第２の面が対向する第１の方向に伸びる第３の面とを有すると共に、誘電特性を有するコンデンサ素体と、コンデンサ素体の少なくとも一部を挟んで第１の方向に直交し且つ第３の面に直交する第２の方向に対向するようにコンデンサ素体内に配置された、端部が第１の面に露出した第１の内部電極及び端部が第２の面に露出した第２の内部電極と、第１の面に配置されると共に第１の内部電極の第１の面に露出した部分に接続された第１の電極部分と、第３の面に配置されると共に第１の電極部分に接続された第２の電極部分とを有する第１の端子電極と、第２の面に配置されると共に第２の内部電極の第２の面に露出した部分に接続された第１の電極部分と、第３の面に配置されると共に第１の電極部分に接続された第２の電極部分とを有する第２の端子電極と、を備え、コンデンサ素体は、第１の内部電極と第２の内部電極とで挟まれる素体領域を含んでおり、第１及び第２の端子電極の第２の電極部分は、第２の方向から透視したときに、その第１の方向での端部において、素体領域の第１の方向での端部の少なくとも一部を挟むようにして第１及び第２の方向に直交する第３の方向に離間していることを特徴とする。
【０００７】
本発明に係る積層コンデンサでは、第１及び第２の端子電極の第２の電極部分は、第２の方向から透視したときに、第１の方向での端部において、素体領域の第１の方向での端部の少なくとも一部を挟むようにして第３の方向に離間しているので、同じく第２の方向から透視したときに、第２の電極部分が上記素体領域と重なっている部分の面積が狭くなっている。この結果、コンデンサ素体の上記素体領域において電歪効果によって生じる機械的歪みが、第１及び第２の端子電極の第２の電極部分に伝播するのを抑制することができる。
【０００８】
好ましくは、第２の電極部分は、第３の面の第１の方向での端部から伸びると共に、第３の方向に離間している一対の第１の領域を含んでおり、各第１の領域の面積Ａ１と、各第１の領域において第２の方向から透視したときに素体領域と重なる部分の面積Ａ２と、の関係が
０≦Ａ２／Ａ１≦０．５０
を満たしている。この場合、コンデンサ素体の上記素体領域において電歪効果によって生じる機械的歪みが、第１及び第２の端子電極の第２の電極部分に伝播するのを効果的に抑制することができる。
【０００９】
そして、一対の第１の領域が、第２の方向から透視したときに、素体領域と重なっていないこと、すなわち
Ａ２／Ａ１＝０
であることがより好ましい。この場合、第２の電極部分の一対の第１の領域は、第２の方向から透視したときに、素体領域と重なっていないので、同じく第２の方向から透視したときに、第２の電極部分の一対の第１の領域が上記素体領域と重なっている部分の面積が生じることはない。この結果、コンデンサ素体の上記素体領域において電歪効果によって生じる機械的歪みが、第１及び第２の端子電極の第２の電極部分に伝播するのを確実に抑制することができる。
【００１０】
好ましくは、第２の電極部分は、一対の第１の領域を連結するように伸びる第２の領域を更に含んでおり、第２の領域は、第２の方向から透視したときに、素体領域と重なっていない。この場合、第２の電極部分の第２の領域は、第２の方向から透視したときに、素体領域と重なっていないので、同じく第２の方向から透視したときに、第２の電極部分が上記素体領域と重なっている部分の面積が生じることはない。この結果、コンデンサ素体の上記素体領域において電歪効果によって生じる機械的歪みが、第１及び第２の端子電極の第２の電極部分に伝播するのを確実に抑制することができる。
【００１１】
好ましくは、コンデンサ素体は、第１及び第２の面を連結するように第１の方向に伸びると共に第３の方向に互いに対向する第４及び第５の面を更に有しており、第１及び第２の端子電極は、第４及び第５の面に配置されると共に第１及び第２の電極部分に接続された第３の電極部分をそれぞれ有し、第３の電極部分は、第３の方向から透視したときに、素体領域と重なっていない。この場合、コンデンサ素体の上記素体領域において電歪効果によって生じる機械的歪みが、第３の電極部分に伝播するのを確実に抑制することができる。
【００１２】
また、本発明に係る積層コンデンサは、互いに対向する第１及び第２の面と、第１及び第２の面を連結するように第１及び第２の面が対向する第１の方向に伸びる第３の面とを有すると共に、誘電特性を有するコンデンサ素体と、コンデンサ素体の少なくとも一部を挟んで第１の方向に直交し且つ第３の面に直交する第２の方向に対向するようにコンデンサ素体内に配置された、端部が第１の面に露出した第１の内部電極及び端部が第２の面に露出した第２の内部電極と、第１の面に配置されると共に第１の内部電極の第１の面に露出した部分に接続された第１の電極部分と、第３の面に配置されると共に第１の電極部分に接続された第２の電極部分とを有する第１の端子電極と、第２の面に配置されると共に第２の内部電極の第２の面に露出した部分に接続された第１の電極部分と、第３の面に配置されると共に第１の電極部分に接続された第２の電極部分とを有する第２の端子電極と、を備え、コンデンサ素体は、第１の内部電極と第２の内部電極とで挟まれる素体領域を含んでおり、第１及び第２の端子電極の第２の電極部分は、第２の方向から透視したときに、素体領域と重なっていないことを特徴とする。
【００１３】
本発明に係る積層コンデンサでは、第１及び第２の端子電極の第２の電極部分は、第２の方向から透視したときに、素体領域と重なっていないので、同じく第２の方向から透視したときに、第２の電極部分が上記素体領域と重なっている部分の面積が生じることはない。この結果、コンデンサ素体の上記素体領域において電歪効果によって生じる機械的歪みが、第１及び第２の端子電極の第２の電極部分に伝播するのを確実に抑制することができる。
【００１４】
好ましくは、コンデンサ素体は、第１及び第２の面を連結するように第１の方向に伸びると共に第１及び第２の方向に直交する第３の方向に互いに対向する第４及び第５の面を更に有しており、第１及び第２の端子電極は、第４及び第５の面に配置されると共に第１及び第２の電極部分に接続された第３の電極部分をそれぞれ有し、第３の電極部分は、第３の方向から透視したときに、素体領域と重なっていない。この場合、コンデンサ素体の上記素体領域において電歪効果によって生じる機械的歪みが、第３の電極部分に伝播するのを確実に抑制することができる。
【発明の効果】
【００１５】
本発明によれば、誘電特性を有するコンデンサ素体において電歪効果によって生じる機械的歪みが、第１及び第２の端子電極に伝わるのを抑制することが可能な積層コンデンサを提供することができる。
【発明を実施するための最良の形態】
【００１６】
以下、添付図面を参照して、本発明の好適な実施形態について詳細に説明する。なお、説明において、同一要素又は同一機能を有する要素には、同一符号を用いることとし、重複する説明は省略する。
【００１７】
図１〜図５を参照して、本実施形態に係る積層コンデンサＣ１の構成について説明する。図１は、本実施形態に係る積層コンデンサを示す概略斜視図である。図２は、本実施形態に係る積層コンデンサを示す概略斜視図である。図３は、図１のIII−III線に沿った断面構成を示す図である。図４は、図１のIV−IV線に沿った断面構成を示す図である。図５は、コンデンサ素体の構成を説明するための分解斜視図である。
【００１８】
積層コンデンサＣ１は、図１〜図４に示されるように、略直方体状のコンデンサ素体１と、複数の第１の内部電極１１と、複数の第２の内部電極１２と、第１の端子電極２０と、第２の端子電極３０と、を備えている。
【００１９】
コンデンサ素体１は、互いに対向する第１の端面２及び第２の端面３と、互いに対向する第１の側面４及び第２の側面５と、互いに対向する第３の側面６及び第４の側面７と、を含んでいる。第１の側面４及び第２の側面５は、第１及び第２の端面２，３を連結するように第１及び第２の端面２，３が対向する第１の方向に伸びている。第３の側面６及び第４の側面７は、第１及び第２の端面２，３を連結するように第１及び第２の端面２，３が対向する第１の方向に伸びている。第１の方向、第１及び第２の側面４，５が対向する第２の方向、及び、第３及び第４の側面６，７が対向する第３の方向は、互いに直交している。
【００２０】
コンデンサ素体１は、図５に示されるように、複数の誘電体層９が第１及び第２の側面４，５が対向する第２の方向に積層されることにより構成されており、誘電特性を有している。各誘電体層９は、例えば誘電体セラミック（ＢａＴｉＯ３系、Ｂａ(Ｔｉ，Ｚｒ)Ｏ３系、又は（Ｂａ，Ｃａ）ＴｉＯ３系等の誘電体セラミック）を含むセラミックグリーンシートの焼結体から構成される。なお、実際の積層コンデンサＣ１では、各絶縁体層は、互いの間の境界が視認できない程度に一体化されている。本実施形態では、第１の側面４又は第２の側面５が、外部基板等の実装面に対向する面となる。
【００２１】
第１の内部電極１１と第２の内部電極１２とは、コンデンサ素体１の一部である少なくとも一つの誘電体層９を挟んで第２の方向に対向するようにコンデンサ素体１内に交互に配置されている。これにより、コンデンサ素体１は、第１の内部電極１１と第２の内部電極１２とで挟まれる素体領域１ａを含むこととなる。素体領域１ａは、上記誘電体層９のうち、第１の内部電極１１と第２の内部電極１２とに重なる部分からなり、積層コンデンサＣ１の静電容量を実質的に生じさせる領域である。素体領域１ａは、電歪効果によって機械的歪みが生じる領域でもある。素体領域１ａは、第１の内部電極１１と第２の内部電極１２との間に電圧が印加されると、第２の方向に膨張し、第１及び第３の方向に収縮する。
【００２２】
第１及び第２の側面４，５は、第１の内部電極１１と第２の内部電極１２との対向方向に対向している。したがって、積層コンデンサＣ１が外部基板等に実装された状態では、第１の内部電極１１と第２の内部電極１２とは、外部基板等の実装面に対して直交する方向に伸びることとなる。
【００２３】
各第１の内部電極１１は、端部が第１の端面２まで引き出されており、各端部が第１の端面２に露出している。各第２の内部電極１２は、端部が第２の端面３まで引き出されており、各端部が第２の端面３に露出している。第１及び第２の内部電極１１，１２は、積層型の電気素子の内部電極として通常用いられる導電性材料（例えば、卑金属であるＮｉ等）からなる。第１及び第２の内部電極１１，１２は、上記導電性材料を含む導電性ペーストの焼結体として構成される。
【００２４】
第１の端子電極２０は、コンデンサ素体１の第１の端面２側に配置されている。第１の端子電極２０は、第１の電極部分２１、第２の電極部分２２、第３の電極部分２３、及び第４の電極部分２４を有している。第１の端子電極２０は、例えば導電性金属粉末及びガラスフリットを含む導電性ペーストをコンデンサ素体１の外表面に付与し、焼き付けることによって形成される。必要に応じて、焼き付けられた第１の端子電極２０の上にめっき層が形成されることもある。導電性ペーストの付与は、ディップ法又は印刷法等により行なうことができる。
【００２５】
第１の電極部分２１は、第１の端面２に配置されている。第１の電極部分２１は、第１の内部電極１１の第１の端面２に露出した部分を覆うように形成されており、当該部分に物理的且つ電気的に接続されている。本実施形態では、第１の電極部分２１は、第１の端面２の全体に亘って形成されている。
【００２６】
第２の電極部分２２は、第２の側面５に配置されており、第１の端面２と第２の側面５とで形成される稜線部において第１の電極部分２１に接続されている。第２の電極部分２２は、一対の第１の領域２２ａと、第２の領域２２ｂを含んでいる。
【００２７】
一対の第１の領域２２ａは、第２の側面５の隅部に位置しており、第３の方向に離間している。一対の第１の領域２２ａは、第２の側面５の第１の方向での一方の端部（第１の端面２と第２の側面５とで形成される稜線部）から第２の側面５の第１の方向での他方の端部に向って伸びている。一方の第１の領域２２ａは、第２の側面５と第３の側面６とで形成される稜線部に沿って伸びている。他方の第１の領域２２ａは、第２の側面５と第４の側面７とで形成される稜線部に沿って伸びている。第２の領域２２ｂは、一対の第１の領域２２ａを連結するように、第１の端面２と第２の側面５とで形成される稜線部に沿って第３の方向に伸びている。
【００２８】
一対の第１の領域２２ａは、図６に示されるように、第２の側面５に直交する第２の方向から透視したときに、素体領域１ａの第１の方向での一方の端部の少なくとも一部を挟むようにして第３の方向に離間している。第２の領域２２ｂは、第２の方向から透視したときに、素体領域１ａと重なっていない。従って、第２の電極部分２２は、当該第２の電極部分２２の第１の方向での端部（第２の電極部分２２における、第２の側面５の第１の方向での他方の端部寄りとなる端部）において、第２の方向から透視して、素体領域１ａの第１の方向での一方の端部の少なくとも一部を挟むようにして第３の方向に離間している。
【００２９】
第３の電極部分２３は、第３及び第４の側面６，７にそれぞれ配置されており、第１の端面２と第３又は第４の側面６，７とで形成される各稜線部において第１の電極部分２１に接続されている。第３の電極部分２３は、第２の側面５と第３又は第４の側面６，７とで形成される各稜線部において第２の電極部分２２（第１の領域２２ａ）に接続されている。第３の電極部分２３は、第１の側面４と第３又は第４の側面６，７とで形成される各稜線部において第４の電極部分２４（第１の領域２４ａ）に接続されている。
【００３０】
第３の電極部分２３は、第３及び第４の側面６，７の第１の方向での一方の端部（第１の端面２と第３又は第４の側面６，７とで形成される各稜線部）から第３及び第４の側面６，７の第１の方向での他方の端部に向って伸びている。第３の電極部分２３は、図７に示されるように、第３の方向から透視したときに、素体領域１ａと重なっていない。本実施形態では、第３の電極部分２３は、略Ｃ字形状を呈している。
【００３１】
第４の電極部分２４は、第１の側面４に配置されており、第１の端面２と第１の側面４とで形成される稜線部において第１の電極部分２１に接続されている。第４の電極部分２４は、第２の電極部分２２と同様に、一対の第１の領域２４ａと、第２の領域２４ｂを含んでいる。
【００３２】
一対の第１の領域２４ａは、第１の側面４の隅部に位置しており、第２の方向に離間している。一対の第１の領域２４ａは、第１の側面４の第１の方向での一方の端部（第１の端面２と第１の側面４とで形成される稜線部）から第１の側面４の第１の方向での他方の端部に向って伸びている。一方の第１の領域２４ａは、第１の側面４と第３の側面６とで形成される稜線部に沿って伸びている。他方の第１の領域２４ａは、第１の側面４と第４の側面７とで形成される稜線部に沿って伸びている。第２の領域２４ｂは、一対の第１の領域２４ａを連結するように、第１の端面２と第１の側面４とで形成される稜線部に沿って第２の方向に伸びている。
【００３３】
一対の第１の領域２４ａは、図６に示されるように、第１の側面４に直交する第２の方向から透視したときに、素体領域１ａの第１の方向での一方の端部の少なくとも一部を挟むようにして第３の方向に離間している。第２の領域２４ｂは、第２の方向から透視したときに、素体領域１ａと重なっていない。従って、第４の電極部分２４は、当該第４の電極部分２４の第１の方向での端部（第４の電極部分２４における、第１の側面４の第１の方向での他方の端部寄りとなる端部）において、第２の方向から透視して、素体領域１ａの第１の方向での一方の端部の少なくとも一部を挟むようにして第３の方向に離間している。
【００３４】
第２の端子電極３０は、コンデンサ素体１の第２の端面３側に配置されている。第２の端子電極３０は、第１の電極部分３１、第２の電極部分３２、第３の電極部分３３、及び第４の電極部分３４を有している。第２の端子電極３０は、第１の端子電極２０と同じく、例えば導電性金属粉末及びガラスフリットを含む導電性ペーストをコンデンサ素体１の外表面に付与し、焼き付けることによって形成される。必要に応じて、焼き付けられた第２の端子電極３０の上にめっき層が形成されることもある。
【００３５】
第１の電極部分３１は、第２の端面３に配置されている。第１の電極部分３１は、第２の内部電極１２の第２の端面３に露出した部分を覆うように形成されており、当該部分に物理的且つ電気的に接続されている。本実施形態では、第１の電極部分３１は、第２の端面３の全体に亘って形成されている。
【００３６】
第２の電極部分３２は、第２の側面５に配置されており、第２の端面３と第２の側面５とで形成される稜線部において第１の電極部分３１に接続されている。第２の電極部分３２は、一対の第１の領域３２ａと、第２の領域３２ｂを含んでいる。
【００３７】
一対の第１の領域３２ａは、第２の側面５の隅部に位置しており、第３の方向に離間している。一対の第１の領域３２ａは、第２の側面５の第１の方向での他方の端部（第２の端面３と第２の側面５とで形成される稜線部）から第２の側面５の第１の方向での一方の端部に向って伸びている。一方の第１の領域３２ａは、第２の側面５と第３の側面６とで形成される稜線部に沿って伸びている。他方の第１の領域３２ａは、第２の側面５と第４の側面７とで形成される稜線部に沿って伸びている。第２の領域３２ｂは、一対の第１の領域３２ａを連結するように、第２の端面３と第２の側面５とで形成される稜線部に沿って第２の方向に伸びている。
【００３８】
一対の第１の領域３２ａは、図６に示されるように、第２の側面５に直交する第２の方向から透視したときに、素体領域１ａの第１の方向での他方の端部の少なくとも一部を挟むようにして第３の方向に離間している。第２の領域３２ｂは、第２の方向から透視したときに、素体領域１ａと重なっていない。従って、第２の電極部分３２は、当該第２の電極部分３２の第１の方向での端部（第２の電極部分３２における、第２の側面５の第１の方向での一方の端部寄りとなる端部）において、第２の方向から透視して、素体領域１ａの第１の方向での他方の端部の少なくとも一部を挟むようにして第３の方向に離間している。
【００３９】
第３の電極部分３３は、第３及び第４の側面６，７にそれぞれ配置されており、第２の端面３と第３又は第４の側面６，７とで形成される各稜線部において第１の電極部分３１に接続されている。第３の電極部分３３は、第２の側面５と第３又は第４の側面６，７とで形成される各稜線部において第２の電極部分３２（第１の領域３２ａ）に接続されている。第３の電極部分３３は、第１の側面４と第３又は第４の側面６，７とで形成される各稜線部において第４の電極部分３４（第１の領域３４ａ）に接続されている。
【００４０】
第３の電極部分３３は、第３及び第４の側面６，７の第１の方向での他方の端部（第２の端面３と第３又は第４の側面６，７とで形成される各稜線部）から第３及び第４の側面６，７の第１の方向での一方の端部に向って伸びている。第３の電極部分３３は、図７に示されるように、第３の方向から透視したときに、素体領域１ａと重なっていない。本実施形態では、第３の電極部分３３は、略逆Ｃ字形状を呈している。
【００４１】
第４の電極部分３４は、第１の側面４に配置されており、第２の端面３と第１の側面４とで形成される稜線部において第１の電極部分３１に接続されている。第４の電極部分３４は、第２の電極部分３２と同様に、一対の第１の領域３４ａと、第２の領域３４ｂを含んでいる。
【００４２】
一対の第１の領域３４ａは、第１の側面４の隅部に位置しており、第３の方向に離間している。一対の第１の領域３４ａは、第１の側面４の第１の方向での他方の端部（第２の端面３と第１の側面４とで形成される稜線部）から第１の側面４の第１の方向での一方の端部に向って伸びている。一方の第１の領域３４ａは、第１の側面４と第３の側面６とで形成される稜線部に沿って伸びている。他方の第１の領域３４ａは、第１の側面４と第４の側面７とで形成される稜線部に沿って伸びている。第２の領域３４ｂは、一対の第１の領域３４ａを連結するように、第２の端面３と第１の側面４とで形成される稜線部に沿って第２の方向に伸びている。
【００４３】
一対の第１の領域３４ａは、図６に示されるように、第１の側面４に直交する第２の方向から透視したときに、素体領域１ａの第１の方向での他方の端部の少なくとも一部を挟むようにして第３の方向に離間している。第２の領域３４ｂは、第２の方向から透視したときに、素体領域１ａと重なっていない。従って、第４の電極部分３４は、当該第４の電極部分３４の第１の方向での端部（第４の電極部分３４における、第１の側面４の第１の方向での一方の端部寄りとなる端部）において、第２の方向から透視して、素体領域１ａの第１の方向での他方の端部の少なくとも一部を挟むようにして第３の方向に離間している。
【００４４】
ところで、本実施形態では、後述するように、第１の領域２２ａ，２４ａ，３２ａ，３４ａの面積Ａ１と、第１の領域２２ａ，２４ａ，３２ａ，３４ａにおいて第２の方向から透視したときに素体領域１ａと重なる部分の面積Ａ２と、の関係が
０≦Ａ２／Ａ１≦０．５０    …  （１）
を満たしている。
【００４５】
以上のように、本実施形態では、第１及び第２の端子電極２０，３０の第２の電極部分２２，３２及び第４の電極部分２４，３４は、第２の方向から透視したときに、それぞれの第１の方向での端部において、素体領域１ａの第１の方向での端部の少なくとも一部を挟むようにして第３の方向に離間している。したがって、第２の方向から透視したときに、第２の電極部分２２，３２及び第４の電極部分２４，３４が素体領域１ａと重なっている部分の面積が狭くなっている。
【００４６】
ところで、積層コンデンサＣ１を第２の側面５を外部基板等に対向させて実装した場合、第１及び第２の端子電極２０，３０の第２の電極部分２２，３２が外部基板等のランド電極に接続される。積層コンデンサＣ１では、電歪効果は電界が作用する素体領域１ａにおいて発生する。上述したように、第２の電極部分２２，３２が素体領域１ａと重なっている部分の面積が狭くなっているので、第１及び第２の端子電極２０，３０の間、すなわち第１及び第２の内部電極１１，１２の間に電圧を印加した際に、コンデンサ素体１の素体領域１ａにおいて電歪効果によって生じる機械的歪みが、第２の電極部分２２，３２に伝播するのを抑制することができる。
【００４７】
一方、積層コンデンサＣ１を第１の側面４を外部基板等に対向させて実装した場合でも、第４の電極部分２４，３４が素体領域１ａと重なっている部分の面積が狭くなっているので、コンデンサ素体１の素体領域１ａにおいて電歪効果によって生じる機械的歪みが、第４の電極部分２４，３４に伝播するのを抑制することができる。
【００４８】
したがって、積層コンデンサＣ１を第１の側面４又は第２の側面５のいずれの側面を外部基板等に対向させて実装し、電圧を印加した場合であっても、外部基板等において発生する音鳴りは抑制される。
【００４９】
本実施形態では、第２の電極部分２２，３２及び第４の電極部分２４，３４は、一対の第１の領域２２ａ，２４ａ，３２ａ，３４ａを含んでおり、各第１の領域２２ａ，２４ａ，３２ａ，３４ａの面積Ａ１と、各第１の領域２２ａ，２４ａ，３２ａ，３４ａにおいて第２の方向から透視したときに素体領域と重なる部分の面積Ａ２と、の関係が上記式（１）を満たしている。これにより、コンデンサ素体１の素体領域１ａにおいて生じる機械的歪みが、第２の電極部分２２，３２及び第４の電極部分２４，３４に伝播するのを効果的に抑制することができる。
【００５０】
そして、一対の第１の領域２２ａ，２４ａ，３２ａ，３４ａが、図８に示されるように、第３の方向から透視したときに、素体領域１ａと重なっていないこと、
すなわち
Ａ２／Ａ１＝０
であることがより好ましい。この場合、一対の第１の領域２２ａ，２４ａ，３２ａ，３４ａは、第２の方向から透視したときに、素体領域１ａと重なっておらず、第２の電極部分２２，３２及び第４の電極部分２４，３４は、第２の方向から透視したときに、それぞれの第１の方向での端部において、素体領域１ａの第１の方向での端部を挟むようにして第３の方向に離間しているので、同じく第２の方向から透視したときに、一対の第１の領域２２ａ，２４ａ，３２ａ，３４ａが素体領域１ａと重なっている部分の面積が生じることはない。これにより、コンデンサ素体１の素体領域１ａにおいて生じる機械的歪みが、第２の電極部分２２，３２及び第４の電極部分２４，３４に伝播するのを確実に抑制することができる。一対の第１の領域２２ａ，２４ａ，３２ａ，３４ａが、第２の方向から透視したときに、素体領域１ａと重なっていないとは、第３あるいは第４の側面６，７（第１及び第２の側面４，５の第２の方向での縁）から素体領域１ａまでの第３の方向での間隔よりも各第１の領域２２ａ，２４ａ，３２ａ，３４ａの第３の方向での幅が狭いことを意味する。
【００５１】
本実施形態では、第２の電極部分２２，３２の第２の領域２２ｂ，３２ｂ及び第４の電極部分２４，３４の第２の領域２４ｂ，３４ｂは、第２の方向から透視したときに、素体領域１ａと重なっていない。これにより、第２の方向から透視したときに、第２の領域２２ｂ，２４ｂ，３２ｂ，３４ｂが素体領域１ａと重なっている部分の面積が生じることはない。この結果、コンデンサ素体１の素体領域１ａにおいて生じる機械的歪みが、第２の電極部分２２，３２及び第４の電極部分２４，３４に伝播するのを確実に抑制することができる。第２の領域２２ｂ，３２ｂ，２４ｂ，３４ｂが、第２の方向から透視したときに、素体領域１ａと重なっていないとは、第１あるいは第２の端面２，３（第１及び第２の側面４，５の第１の方向での縁）から素体領域１ａまでの第１の方向での間隔よりも各第２の領域２２ｂ，３２ｂ，２４ｂ，３４ｂの第１の方向での幅が狭いことを意味する。
【００５２】
本実施形態では、第１及び第２の端子電極２０，３０の第３の電極部分２３，３３は、第３の方向から透視したときに、素体領域１ａと重なっていない。これにより、コンデンサ素体１の素体領域１ａにおいて生じる機械的歪みが、第３の電極部分２３，３３に伝播するのを確実に抑制することができる。したがって、積層コンデンサＣ１を外部基板等に実装した際に、第３の電極部分２３，３３がランド電極に接続された場合でも、外部基板等において発生する音鳴りは抑制される。
【００５３】
ここで、第１の領域２２ａ，２４ａ，３２ａ，３４ａの面積Ａ１と、第１の領域２２ａ，２４ａ，３２ａ，３４ａにおいて第２の方向から透視したときに素体領域１ａと重なる部分の面積Ａ２との関係について、詳細に説明する。
【００５４】
本発明者等は、上記面積Ａ１と面積Ａ２との比（Ａ２／Ａ１）と、積層コンデンサＣ１が実装された基板の最大振動量との関係を明らかにするために、以下のような実験をおこなった。すなわち、面積Ａ１と面積Ａ２との比が異なるサンプル（サンプル１〜１１）を作製し、各サンプルを基板に実装し、サンプルに交流電圧ＡＣ１Ｖｒｍｓを印加したときの基板の振動量（ｎｍ）を測定した。その測定結果を、図９及び図１０に示す。図９は、測定結果を示す表であり、図１０は、図９に示された測定結果をグラフ化したものである。各サンプルは、面積Ａ１と面積Ａ２との比（面積Ａ１，Ａ２）を異ならせた点を除いて同じ構成であり、第１の方向の長さが３．２ｍｍであり、第２の方向の長さ（幅）が２．５ｍｍであり、第３の方向の長さ（高さ）が２．０ｍｍであり、静電容量が１０μＦになるように設計されている。
【００５５】
図９における、Ｌｔ（ｍｍ）、Ｗｔ（ｍｍ）、Ｌｇａｐ（ｍｍ）、及びＣｖＬ（ｍｍ）は、図１１に示される通りに規定されている。Ｌｔは、第１の領域２２ａ，２４ａ，３２ａ，３４ａの第１の方向での長さである。Ｗｔは、第１の領域２２ａ，２４ａ，３２ａ，３４ａの第３の方向での長さ（幅）である。Ｌｇａｐは、第２の方向から透視したときにおける、素体領域１ａと第１又は第２の端面２，３との第１の方向での間隔である。ＣｖＬは、第２の方向から透視したときにおける、素体領域１ａと第３又は第４の端面６，７との第３の方向での間隔である。
【００５６】
図９及び図１０に示される測定結果から、Ａ２／Ａ１を０以上０．５０以下の範囲とすることにより、基板の最大振動量が１０ｎｍ以下となり、振動が極めて小さくなる。判断基準を１０ｎｍとした理由は、最大振動量が１０ｎｍ以下にすることで、特許文献１等に記載されたような構成の従来の積層コンデンサに比して、雑音（音圧）レベルを１０ｄＢ以上低減した著しい効果が得られるからである。
【００５７】
次に、図１２〜図２７を参照して、本実施形態に係る積層コンデンサＣ１の第１〜第４変形例について説明する。
【００５８】
図１２〜図１３に示された第１変形例に係る積層コンデンサＣ２では、第１の電極部分２１，３１が、第１の領域２１ａ，３１ａと４つの第２の領域２１ｂ，３１ｂとを有しており、略Ｈ字形状を呈している。
【００５９】
第１の領域２１ａは、第１の端面２と第１の側面４とで形成される稜線部及び第１の端面２と第２の側面５とで形成される稜線部から所定間隔を有すると共に、第１の端面２と第３の側面６とで形成される稜線部と第１の端面２と第４の側面７とで形成される稜線部とに亘って第３の方向に伸びており、矩形形状を呈している。第１の領域２１ａは、第１の内部電極１１の第１の端面２に露出した部分を覆うように形成されており、当該部分に物理的且つ電気的に接続されている。
【００６０】
各第２の領域２１ｂは、第１の領域２１ａと第２及び第４の電極部分２２，２４の第１の領域２２ａ，２４ａとを接続するように、第１の領域２１ａの端部から第１の端面２と第３の側面６とで形成される稜線部あるいは第１の端面２と第４の側面７とで形成される稜線部に沿って第２の方向に伸びている。
【００６１】
第１の領域３１ａは、第２の端面３と第１の側面４とで形成される稜線部及び第２の端面３と第２の側面５とで形成される稜線部から所定間隔を有すると共に、第２の端面３と第３の側面６とで形成される稜線部と第２の端面３と第４の側面７とで形成される稜線部とに亘って第３の方向に伸びており、矩形形状を呈している。第１の領域３１ａは、第２の内部電極１２の第２の端面３に露出した部分を覆うように形成されており、当該部分に物理的且つ電気的に接続されている。
【００６２】
各第２の領域３１ｂは、第１の領域３１ａと第２及び第４の電極部分３２，３４の第１の領域３２ａ，３４ａとを接続するように、第１の領域３１ａの端部から第２の端面３と第３の側面６とで形成される稜線部あるいは第２の端面３と第４の側面７とで形成される稜線部に沿って第２の方向に伸びている。
【００６３】
図１４〜図２１に示された第２及び第３変形例に係る積層コンデンサＣ３，Ｃ４では、第２の電極部分２２，３２が、一対の第１の領域２２ａ，３２ａのみからなり、上記第２の領域２２ｂ，３２ｂを有していない。第３の電極部分２３，３３は、第３及び第４の側面６，７の隅部に位置しており、第２の方向に離間している。
【００６４】
図２２〜図２６に示された第４変形例に係る積層コンデンサＣ５では、第１及び第２の端子電極２０，３０が第３の電極部分２３，３３を有していない、すなわち第３及び第４の側面６，７には第１及び第２の端子電極２０，３０（第３の電極部分２３，３３）が配置されていない。
【００６５】
積層コンデンサＣ５では、第１の電極部分２１，３１は、第１の端面２と第３の側面６とで形成される稜線部及び第１の端面２と第４の側面７とで形成される稜線部から所定間隔を有して位置している。第２の電極部分２２，３２の第１の領域２２ａ，３２ａは、第２の側面５と第３の側面６とで形成される稜線部及び第２の側面５と第４の側面７とで形成される稜線部から所定間隔を有して位置している。第４の電極部分２４，３４の第１の領域２４ａ，３４ａは、第１の側面４と第３の側面６とで形成される稜線部及び第１の側面４と第４の側面７とで形成される稜線部から所定間隔を有して位置している。
【００６６】
第１〜第５変形例に係る積層コンデンサＣ２〜Ｃ５においても、第２の電極部分２２，３２あるいは第４の電極部分２４，３４が素体領域１ａと重なっている部分の面積が狭くなっているので、第１及び第２の端子電極２０，３０の間、すなわち第１及び第２の内部電極１１，１２の間に電圧を印加した際に、コンデンサ素体１の素体領域１ａにおいて生じる機械的歪みが、第２の電極部分２２，３２あるいは第４の電極部分２４，３４に伝播するのを抑制することができる。
【００６７】
以上、本発明の好適な実施形態について説明してきたが、本発明は必ずしも上述した実施形態に限定されるものではなく、その要旨を逸脱しない範囲で様々な変更が可能である。
【００６８】
本実施形態及び各変形例においては、第１及び第２の端子電極２０，３０が、第２の電極部分２２，３２と第４の電極部分２４，３４とを有しているが、少なくともいずれか一方の電極部分を有していればよい。例えば、第２の側面５が外部基板等に対向する面として規定される場合には、第４の電極部分２４，３４は必ずしも必要ではなく、第１の側面４が外部基板等に対向する面として規定される場合には、第２の電極部分２２，３２は必ずしも必要ではない。
【００６９】
本実施形態及び各変形例においては、第１及び第２の端子電極２０，３０の第３の電極部分２３，３３が、第３の方向から透視したときに、素体領域１ａと重なっていないが、これに限られない。第３の電極部分２３，３３は、第２の方向から透視したときに、素体領域１ａと重なっていてもよい。この場合、第３の電極部分２３，３３が、第３の方向から透視したときに、素体領域１ａと重なっている積層コンデンサは、第３の電極部分２３，３３が、第３の方向から透視したときに、素体領域１ａと重なっていない積層コンデンサに比して、素体領域１ａにおいて生じる機械的歪みが伝達するのを抑制する効果が低下するものの、第２の電極部分２２，３２あるいは第４の電極部分２４，３４からの伝播が支配的であることから、上記効果の低下代は少ない。
【図面の簡単な説明】
【００７０】
【図１】本実施形態に係る積層コンデンサを示す概略斜視図である。
【図２】本実施形態に係る積層コンデンサを示す概略斜視図である。
【図３】図１のIII−III線に沿った断面構成を示す図である。
【図４】図１のIV−IV線に沿った断面構成を示す図である。
【図５】コンデンサ素体の構成を説明するための分解斜視図である。
【図６】第１及び第２の端子電極と素体領域との関係を説明するための模式図である。
【図７】第１及び第２の端子電極と素体領域との関係を説明するための模式図である。
【図８】第１及び第２の端子電極と素体領域との関係を説明するための模式図である。
【図９】面積Ａ１と面積Ａ２との比を変化させて基板の振幅量を測定した結果を示す図表である。
【図１０】面積Ａ１と面積Ａ２との比を変化させて基板の振幅量を測定した結果を示す線図である。
【図１１】面積Ａ１と面積Ａ２との関係を説明するための模式図である。
【図１２】本実施形態の第１変形例に係る積層コンデンサを示す概略斜視図である。
【図１３】本実施形態の第１変形例に係る積層コンデンサを示す概略斜視図である。
【図１４】本実施形態の第２変形例に係る積層コンデンサを示す概略斜視図である。
【図１５】本実施形態の第２変形例に係る積層コンデンサを示す概略斜視図である。
【図１６】図１４のXVI−XVI線に沿った断面構成を示す図である。
【図１７】図１４のXVII−XVII線に沿った断面構成を示す図である。
【図１８】第１及び第２の端子電極と素体領域との関係を説明するための模式図である。
【図１９】第１及び第２の端子電極と素体領域との関係を説明するための模式図である。
【図２０】本実施形態の第３変形例に係る積層コンデンサを示す概略斜視図である。
【図２１】本実施形態の第３変形例に係る積層コンデンサを示す概略斜視図である。
【図２２】本実施形態の第４変形例に係る積層コンデンサを示す概略斜視図である。
【図２３】本実施形態の第４変形例に係る積層コンデンサを示す概略斜視図である。
【図２４】図２２のXXIV−XXIV線に沿った断面構成を示す図である。
【図２５】図２２のXXV−XXV線に沿った断面構成を示す図である。
【図２６】第１及び第２の端子電極と素体領域との関係を説明するための模式図である。
【符号の説明】
【００７１】
Ｃ１〜Ｃ５…積層コンデンサ、１…コンデンサ素体、１ａ…素体領域、２…第１の端面、３…第２の端面、４…第１の側面、５…第２の側面、６…第３の側面、７…第４の側面、９…誘電体層、１１…第１の内部電極、１２…第２の内部電極、２０…第１の端子電極、２１…第１の電極部分、２２…第２の電極部分、２２ａ…第１の領域、２２ｂ…第２の領域、２３…第３の電極部分、２４…第４の電極部分、２４ａ…第１の領域、２４ｂ…第２の領域、３０…第２の端子電極、３１…第１の電極部分、３２…第２の電極部分、３２ａ…第１の領域、３２ｂ…第２の領域、３３…第３の電極部分、３４…第４の電極部分、３４ａ…第１の領域、３４ｂ…第２の領域。
【図１】
2008300563.tif 000003
【図２】
2008300563.tif 000004
【図３】
2008300563.tif 000005
【図４】
2008300563.tif 000006
【図５】
2008300563.tif 000007
【図６】
2008300563.tif 000008
【図７】
2008300563.tif 000009
【図８】
2008300563.tif 000010
【図９】
2008300563.tif 000011
【図１０】
2008300563.tif 000012
【図１１】
2008300563.tif 000013
【図１２】
2008300563.tif 000014
【図１３】
2008300563.tif 000015
【図１４】
2008300563.tif 000016
【図１５】
2008300563.tif 000017
【図１６】
2008300563.tif 000018
【図１７】
2008300563.tif 000019
【図１８】
2008300563.tif 000020
【図１９】
2008300563.tif 000021
【図２０】
2008300563.tif 000022
【図２１】
2008300563.tif 000023
【図２２】
2008300563.tif 000024
【図２３】
2008300563.tif 000025
【図２４】
2008300563.tif 000026
【図２５】
2008300563.tif 000027
【図２６】
2008300563.tif 000028